(57)【要約】【課題】テンションゲージの測定結果に含まれる誤差を低減させることができるエスカレーターのスカートガードスイッチ動作確認装置を得る。【解決手段】テンションゲージ７１と、テンションゲージ７１の先端部に設けられた４個の突起部７２とを備え、４個の突起部７２は、スカートガード５に形成された４個の凹部５１に別々に挿入され、４個の突起部７２は、テンションゲージ７１の長手方向に視た場合にテンションゲージ７１の中心線Ａを挟むように配置される。【選択図】図２
2020007074.tif 000002
【特許請求の範囲】
【請求項１】
テンションゲージと、
前記テンションゲージの先端部に設けられた複数の係合部と
を備え、
複数の前記係合部は、スカートガードに設けられた複数の被係合部に別々に係合される乗客コンベヤのスカートガードスイッチ動作確認装置。
【請求項２】
複数の前記係合部は、前記テンションゲージの長手方向に視た場合に前記テンションゲージの中心線を挟むように配置される請求項１に記載の乗客コンベヤのスカートガードスイッチ動作確認装置。
【請求項３】
前記係合部は、前記テンションゲージの先端部に設けられた突起部であり、
前記被係合部は、前記スカートガードに形成された凹部である請求項１または請求項２に記載の乗客コンベヤのスカートガードスイッチ動作確認装置。
【請求項４】
テンションゲージと、
前記テンションゲージの先端部に設けられた複数の係合部と、
スカートガードに設けられ、複数の被係合部が設けられた貼付部材と
を備え、
複数の前記係合部は、複数の前記被係合部に別々に係合される乗客コンベヤのスカートガードスイッチ動作確認装置。
【請求項５】
複数の前記係合部は、前記テンションゲージの長手方向に視た場合に前記テンションゲージの中心線を挟むように配置される請求項４に記載の乗客コンベヤのスカートガードスイッチ動作確認装置。
【請求項６】
前記係合部は、前記テンションゲージの先端部に設けられた突起部であり、
前記被係合部は、前記貼付部材に形成された凹部である請求項４または請求項５に記載の乗客コンベヤのスカートガードスイッチ動作確認装置。
【発明の詳細な説明】
【技術分野】
【０００１】
この発明は、スカートガードスイッチの動作を確認する際に用いられる乗客コンベヤのスカートガードスイッチ動作確認装置に関する。
【背景技術】
【０００２】
従来、テンションゲージと、テンションゲージの先端部に設けられた突起部とを備えたエスカレーターのスカートガード動作確認装置が知られている。スカートガードに形成された凹部に突起部が挿入された状態で、テンションゲージがスカートガードに向かって押されることによって、スカートガードスイッチが動作する時の力の大きさが測定される（例えば、特許文献１参照）。
【先行技術文献】
【特許文献】
【０００３】
【特許文献１】特開昭６０−２５８０８２号公報
【発明の概要】
【発明が解決しようとする課題】
【０００４】
しかしながら、テンションゲージがスカートガードに押し付けられる方向である押付方向とスカートガードの表面に対する垂直方向と一致しない場合には、テンションゲージの測定結果に大きな誤差が含まれるという問題点があった。
【０００５】
この発明は、上述のような課題を解決するためになされたものであり、その目的は、テンションゲージの測定結果に含まれる誤差を低減させることができる乗客コンベヤのスカートガードスイッチ動作確認装置を提供するものである。
【課題を解決するための手段】
【０００６】
この発明に係る乗客コンベヤのスカートガードスイッチ動作確認装置は、テンションゲージと、テンションゲージの先端部に設けられる複数の係合部とを備え、複数の係合部は、スカートガードに設けられた複数の被係合部に別々に係合される。
【発明の効果】
【０００７】
この発明に係る乗客コンベヤのスカートガードスイッチ動作確認装置によれば、テンションゲージと、テンションゲージの先端部に設けられる複数の係合部とを備えている。複数の係合部は、スカートガードに設けられた複数の被係合部に別々に係合される。これにより、テンションゲージの押付方向とスカートガードの表面に対する垂直方向とをより正確に一致させることができる。その結果、テンションゲージの測定結果に含まれる誤差を低減させることができる。
【図面の簡単な説明】
【０００８】
【図１】この発明の実施の形態１に係るエスカレーターのスカートガードスイッチ動作確認装置が用いられるエスカレーターを示す側面図である。
【図２】図１のスカートガードスイッチの動作を確認する際に用いられるスカートガードスイッチ動作確認装置を示す側面図である。
【図３】図２のスカートガードスイッチ動作確認装置を示す正面図である。
【図４】図２のスカートガードを示す正面図である。
【図５】この発明の実施の形態２に係るエスカレーターのスカートガードスイッチ動作確認装置を示す側面図である。
【図６】図５のテンションゲージおよび突起部を示す正面図である。
【図７】図５の貼付部材を示す正面図である。
【発明を実施するための形態】
【０００９】
実施の形態１．
図１は、この発明の実施の形態１に係るエスカレーターのスカートガードスイッチ動作確認装置が用いられるエスカレーターを示す側面図である。乗客コンベヤであるエスカレーターは、上階と下階とに渡って設けられる主枠１と、主枠１に設けられ、乗降口間を循環移動する複数の踏段２と、踏段２よりも踏段２の幅方向外側に設けられる一対の欄干３とを備えている。
【００１０】
また、エスカレーターは、各欄干３に設けられ、踏段２と同期して乗降口間を循環移動する一対の移動手摺４と、欄干３よりも下方に設けられるスカートガード５と、踏段２とスカートガード５との間に異物が挟み込まれることを検出する複数のスカートガードスイッチ６とを備えている。
【００１１】
スカートガードスイッチ６は、スカートガード５の裏面側に配置される。言い換えれば、スカートガードスイッチ６は、スカートガードスイッチ６と踏段２との間にスカートガード５が挟まれるように配置される。
【００１２】
図２は、図１のスカートガードスイッチ６の動作を確認する際に用いられるスカートガードスイッチ動作確認装置を示す側面図である。図２では、スカートガード５およびスカートガードスイッチ６も示されている。スカートガードスイッチ動作確認装置７Ａは、テンションゲージ７１と、テンションゲージ７１の先端部に設けられた４個の係合部である突起部７２とを備えている。
【００１３】
テンションゲージ７１は、テンションゲージ７１の長手方向に圧縮力が加えられることによって、テンションゲージ７１に加えられる力の大きさを測定する。
【００１４】
図３は、図２のスカートガードスイッチ動作確認装置７Ａを示す正面図である。４個の突起部７２は、テンションゲージ７１の周方向に等間隔に並べて配置されている。４個の突起部７２は、テンションゲージ７１の長手方向にスカートガードスイッチ動作確認装置７Ａを視た場合に、テンションゲージ７１の中心線Ａを挟むように配置される。言い換えれば、互いに向かい合う一対の突起部７２は、テンションゲージ７１の長手方向にスカートガードスイッチ動作確認装置７Ａを視た場合に、テンションゲージ７１の中心線Ａを挟むように配置される。
【００１５】
図４は、図２のスカートガード５を示す正面図である。図４では、スカートガード５の表面を示している。スカートガード５には、係合部が係合する４個の被係合部である凹部５１が形成されている。４個の凹部５１は、スカートガード５を正面から視た場合に、スカートガードスイッチ６を中心とした周方向に等間隔に並べて配置されている。４個の凹部５１は、スカートガード５を正面から視た場合に、スカートガードスイッチ６を挟むように配置される。言い換えれば、互いに向かい合う凹部５１は、スカートガード５を正面から視た場合に、スカートガードスイッチ６を挟むように配置される。４個の凹部５１のそれぞれに、４個の突起部７２が別々に挿入可能となっている。
【００１６】
次に、スカートガードスイッチ動作確認装置７Ａを用いたスカートガードスイッチ６の動作の確認の方法について説明する。まず、スカートガードスイッチ６の近くにある踏段２を図示しないステップ軸から取り外す。
【００１７】
その後、作業者は、スカートガードスイッチ動作確認装置７Ａを把持し、４個の凹部５１のそれぞれに４個の突起部７２を別々に挿入する。４個の凹部５１のそれぞれに４個の突起部７２が別々に挿入されることによって、テンションゲージ７１がスカートガード５に押し付けられる方向である押付方向と、スカートガード５の表面に対する垂直方向とが一致する。また、テンションゲージ７１の中心線Ａの延長線上にスカートガードスイッチ６の中心が配置される。
【００１８】
その後、作業者は、テンションゲージ７１をスカートガード５に押し付ける。また、作業者は、スカートガードスイッチ６が動作する時のテンションゲージ７１の測定結果を記録する。以上により、スカートガードスイッチ動作確認装置７Ａを用いたスカートガードスイッチ６の動作の確認の手順が終了する。
【００１９】
以上説明したように、この発明の実施の形態１に係るエスカレーターのスカートガードスイッチ動作確認装置７Ａによれば、テンションゲージ７１と、テンションゲージ７１の先端部に設けられる４個の突起部７２とを備えている。４個の突起部７２は、スカートガード５に形成された４個の凹部５１に別々に挿入される。これにより、テンションゲージ７１の押付方向とスカートガード５の表面に対する垂直方向とをより正確に一致させることができる。その結果、テンションゲージ７１の測定結果に含まれる誤差を低減させることができる。また、スカートガード５の表面には、シリコーンが塗布されている。したがって、スカートガード５の表面は、滑りやすくなっている。しかしながら、突起部７２が凹部５１に挿入されるので、スカートガード５に対するテンションゲージ７１の滑りを低減させることができる。
【００２０】
また、４個の突起部７２は、テンションゲージ７１の長手方向に視た場合にテンションゲージ７１の中心線Ａを挟むように配置される。これにより、テンションゲージ７１の押付方向とスカートガード５の表面に対する垂直方向とをより正確に一致させることができる。
【００２１】
また、テンションゲージ７１の先端部に突起部７２が設けられ、スカートガード５の表面には、凹部５１が形成されている。これにより、スカートガード５の表面に突起部が設けられ、テンションゲージ７１の先端部に凹部が形成される構成と比較して、スカートガード５に形成される被係合部の奥行方向の寸法を大きくすることができる。その結果、テンションゲージ７１の押付方向とスカートガード５の表面に対する垂直方向とをより正確に一致させることができる。
【００２２】
なお、上記実施の形態１では、テンションゲージ７１の先端部に設けられる係合部が突起部７２であり、スカートガード５に設けられる被係合部が凹部５１である構成について説明した。しかしながら、これに限らず、テンションゲージ７１の先端部に設けられる係合部が凹部であり、スカートガード５に設けられる被係合部が突起部である構成であってもよい。この場合、スカートガード５の突起部がテンションゲージ７１の凹部に挿入される。
【００２３】
また、上記実施の形態２では、テンションゲージ７１の先端部に４個の係合部が設けられ、スカートガード５に４個の被係合部が設けられた構成について説明した。しかしながら、これに限らず、テンションゲージ７１の先端部に複数の係合部が設けられ、スカートガード５に複数の被係合部が設けられた構成であればよい。
【００２４】
また、上記実施の形態１では、スカートガード５に設けられた凹部５１が露出される構成について説明した。しかしながら、スカートガードスイッチ動作確認装置７Ａは、凹部５１を塞ぐ閉塞部材をさらに備えた構成であってもよい。スカートガードスイッチ６の動作の確認を行わない場合には、閉塞部材が凹部５１を塞ぐ。これにより、エスカレーターの運転時に、異物が凹部５１に進入することを防止することができる。
【００２５】
また、上記実施の形態１では、スカートガード５が板形状に形成された構成について説明した。しかしながら、これに限らず、例えば、スカートガード５における凹部５１が設けられる部分に肉厚部が形成される構成であってもよい。肉厚部は、スカートガード５における裏面側の部分に配置される。この場合、スカートガード５の厚さ方向についての凹部５１の寸法をより大きくすることができる。肉厚部の厚さ方向の寸法は、スカートガードスイッチ６の幅方向について、肉厚部の一部がスカートガードスイッチ６に隣り合う程度の寸法であってもよい。
【００２６】
実施の形態２．
図５は、この発明の実施の形態２に係るエスカレーターのスカートガードスイッチ動作確認装置を示す側面図である。図５では、スカートガード５およびスカートガードスイッチ６も示されている。スカートガードスイッチ動作確認装置７Ｂは、スカートガード５の表面に貼り付けられる貼付部材７３をさらに備えている。スカートガード５の表面への貼付部材７３の貼り付けは、接着剤、吸盤、磁石などを用いて行われる。
【００２７】
図６は、図５のテンションゲージ７１および突起部７２を示す正面図である。実施の形態１と同様に、スカートガードスイッチ動作確認装置７Ｂは、テンションゲージ７１と、テンションゲージ７１の先端部に設けられた４個の係合部である突起部７２とを備えている。４個の突起部７２は、テンションゲージ７１の周方向に等間隔に並べて配置されている。４個の突起部７２は、テンションゲージ７１の長手方向にスカートガードスイッチ動作確認装置７Ｂを視た場合に、テンションゲージ７１の中心線Ａを挟むように配置される。言い換えれば、互いに向かい合う一対の突起部７２は、テンションゲージ７１の長手方向にスカートガードスイッチ動作確認装置７Ｂを視た場合に、テンションゲージ７１の中心線Ａを挟むように配置される。
【００２８】
図７は、図５の貼付部材７３を示す正面図である。貼付部材７３は、スカートガード５を正面から視た場合に、スカートガードスイッチ６と貼付部材７３とが互いに重なるようにスカートガード５の表面に貼り付けられる。貼付部材７３には、係合部が係合する４個の被係合部である凹部７３１が形成されている。４個の凹部７３１は、スカートガード５を正面から視た場合に、スカートガードスイッチ６を中心とした周方向に等間隔に並べて配置されている。４個の凹部７３１は、スカートガード５を正面から視た場合に、スカートガードスイッチ６を挟むように配置される。言い換えれば、互いに向かい合う凹部７３１は、スカートガード５を正面から視た場合に、スカートガードスイッチ６を挟むように配置される。４個の凹部７３１のそれぞれに、４個の突起部７２が別々に挿入可能となっている。その他の構成は、実施の形態１と同様である。
【００２９】
次に、スカートガードスイッチ動作確認装置７Ｂを用いたスカートガードスイッチ６の動作の確認の方法について説明する。まず、スカートガードスイッチ６の近くにある踏段２を図示しないステップ軸から取り外す。
【００３０】
その後、作業者は、貼付部材７３をスカートガード５に貼り付ける。その後、作業者は、スカートガードスイッチ動作確認装置７Ｂを把持し、４個の凹部７３１のそれぞれに４個の突起部７２を別々に挿入する。４個の凹部７３１のそれぞれに４個の突起部７２が別々に挿入されることによって、テンションゲージ７１が貼付部材７３に押し付けられる方向である押付方向と、スカートガード５の表面に対する垂直方向とが一致する。また、テンションゲージ７１の中心線Ａの延長線上にスカートガードスイッチ６の中心が配置される。
【００３１】
その後、作業者は、テンションゲージ７１をスカートガード５に押し付ける。また、作業者は、スカートガードスイッチ６が動作する時のテンションゲージ７１の測定結果を記録する。以上により、スカートガードスイッチ動作確認装置７Ｂを用いたスカートガードスイッチ６の動作の確認の手順が終了する。
【００３２】
以上説明したように、この発明の実施の形態２に係るエスカレーターのスカートガードスイッチ動作確認装置７Ｂによれば、テンションゲージ７１と、テンションゲージ７１の先端部に設けられる４個の突起部７２と、スカートガード５に設けられ、４個の凹部７３１が形成された貼付部材７３とを備えている。４個の突起部７２は、４個の凹部７３１に別々に挿入される。これにより、テンションゲージ７１の押付方向とスカートガード５の表面に対する垂直方向とをより正確に一致させることができる。その結果、テンションゲージ７１の測定結果に含まれる誤差を低減させることができる。スカートガード５の表面には、シリコーンが塗布されている。したがって、スカートガード５の表面は、滑りやすくなっている。しかしながら、突起部７２が凹部７３１に挿入されるので、スカートガード５に対するテンションゲージ７１の滑りを低減させることができる。
【００３３】
また、４個の突起部７２は、テンションゲージ７１の長手方向に視た場合にテンションゲージ７１の中心線Ａを挟むように配置される。これにより、テンションゲージ７１の押付方向とスカートガード５の表面に対する垂直方向とをより正確に一致させることができる。
【００３４】
また、テンションゲージ７１の先端部に突起部７２が形成され、スカートガード５の表面に貼り付けられた貼付部材７３には、凹部７３１が形成されている。これにより、スカートガード５に被係合部を設ける必要がない。これにより、スカートガード５の構成を簡単にすることができる。
【００３５】
なお、上記実施の形態２では、テンションゲージ７１の先端部に設けられる係合部が突起部７２であり、貼付部材７３に設けられる被係合部が凹部７３１である構成について説明した。しかしながら、これに限らず、テンションゲージ７１の先端部に設けられる係合部が凹部であり、貼付部材７３に設けられる被係合部が突起部である構成であってもよい。この場合、貼付部材７３の突起部がテンションゲージ７１の凹部に挿入される。
【００３６】
また、上記実施の形態２では、テンションゲージ７１の先端部に４個の係合部が設けられ、貼付部材７３に４個の被係合部が設けられた構成について説明した。しかしながら、これに限らず、テンションゲージ７１の先端部に複数の係合部が設けられ、貼付部材７３に複数の被係合部が設けられた構成であればよい。
【００３７】
また、各上記実施の形態では、乗客コンベヤとしてエスカレーターを例に説明したが、動く歩道であってもよい。
【００３８】
また、各上記実施の形態では、作業者がスカートガードスイッチ動作確認装置７Ａ、７Ｂを把持して、テンションゲージ７１を押し付ける構成について説明した。しかしながら、これに限らず、例えば、ステップ軸に支持装置を取り付けて、スカートガードスイッチ動作確認装置７Ａ，７Ｂを支持装置に支持させる構成であってもよい。
【符号の説明】
【００３９】
１  主枠、２  踏段、３  欄干、４  移動手摺、５  スカートガード、６  スカートガードスイッチ、７Ａ、７Ｂ  スカートガードスイッチ動作確認装置、５１  凹部、７１  テンションゲージ、７２  突起部、７３  貼付部材、７３１  凹部。
【図１】
2020007074.tif 000003
【図２】
2020007074.tif 000004
【図３】
2020007074.tif 000005
【図４】
2020007074.tif 000006
【図５】
2020007074.tif 000007
【図６】
2020007074.tif 000008
【図７】
2020007074.tif 000009